(57)【要約】      （修正有）【課題】空調管理装置で指定した運転条件に一致する室内機の運転条件を、選択的にかつ一括して設定変更を行う。【解決手段】空調管理装置の表示部１５には、作業者が意図する室内機を選択するための論理演算式と、運転条件の変更内容を入力する画面とを含んだ設定変更決定画面が表示される。作業者は、変更する運転条件を変更運転条件選択エリア１５ｇより選択し、新規設定値入力エリア１５ｈに新規設定値を入力する。そして、作業者が「ＯＫ」ボタン１５ｉを押すと、論理演算式をデータ化した検索データと運転条件変更データとを含んだ通信データが各室内機へ送信される。通信データを受信した室内機は、通信データに含まれる検索データを参照し、そこに含まれる運転条件が現在自己に設定されている運転条件と一致すれば、通信データに含まれる運転条件変更データに基づいて運転条件を変更する。【選択図】図６
2010190538.tif 000002
【特許請求の範囲】
【請求項１】
複数の空気調和機と、前記空気調和機と通信可能に接続され、前記空気調和機の集中管理を行う空調管理装置とを備えた空気調和システムにおいて、
前記空調管理装置は、前記複数の空気調和機が運転条件を変更されるべきものであるか否かを各前記空気調和機で判断するための検索データと、前記運転条件の変更指示である運転条件変更データとを含んだ通信データを前記空気調和機に送信し、
前記空気調和機は、前記通信データを入力して自己の運転条件と前記検索データとを比較し、内容が一致した場合、前記運転条件変更データに基づいて前記空気調和機を運転することを特徴とする空気調和システム。
【請求項２】
前記検索データは、前記空気調和機の運転条件である運転モード、設定温度、風量、風向板動作及び前記空気調和機が設置されている部屋の室温の内、少なくとも１つ以上としてなることを特徴とする請求項１記載の空気調和システム。
【請求項３】
前記空調管理装置は、前記通信データを所定時間毎に前記空気調和機に送信することを特徴とする請求項１もしくは請求項２記載の空気調和機。
【発明の詳細な説明】
【技術分野】
【０００１】
本発明は、複数の空気調和機とこれらを管理制御する空調管理装置とからなる空気調和システムに係わり、より詳細には、作業者が意図する室内機の設定を簡易に変更できる空気調和システムに関する。
【背景技術】
【０００２】
従来、複数の室内機や室外機と、これらを管理制御する空調管理装置とからなる空気調和システムにおいて、特に高層ビル等の規模の大きな建物に設置される空気調和システムにおいては、設置される室内機の台数が多数となるため、空調管理装置から各室内機に設定されている運転モード、設定温度、風量および風向板動作等といった運転条件を個別に変更することは、作業者にとって膨大な作業量となり作業時間がかかるという問題があった。
【０００３】
そこで、これら多数存在する室内機の運転条件を一括して変更する方法が提案されている。（例えば、特許文献１や特許文献２）。
特許文献１に開示されているのは、複数の空気調和機と、これらを集中管理する空調管理装置とを備えた空気調和システムにおいて、空調管理装置にて設定温度の補正温度を入力し、これを各空調機に送信して各空調機の設定温度を一括して相対的に補正するというものである。
【０００４】
例えば、空調管理装置にて補正温度を−２℃と設定し、これに対応した通信データを空調管理装置から各空気調和機に送信する。通信データを入力した各空気調和機は、現在の自己の設定温度を補正し、例えば設定温度が２３℃の空気調和機は２１℃に、設定温度が２５℃の空気調和機は２３℃に、というように設定温度が変更される。
このように、設定温度を一括して補正することができるため、作業者の空調管理装置における設定変更に係わる操作が簡易なものとなり、操作時間の短縮を行うことができる。
【０００５】
また、特許文献２に開示されているのは、空調管理装置から送信される通信データに、空気調和機の識別情報や運転条件の変更指示である運転条件変更データと共に、すべての空気調和機を一括して変更するか否かを指示するための共通信号が割り当てられている。この共通信号が有効な通信データが各空気調和機に入力された場合は、通信データに含まれる識別情報の一致・不一致に関わらず通信データに含まれる運転条件変更データに基づいた設定変更を実行するというものである。
【０００６】
この方法では、通信データを送信する際に共通信号を有効とすることで、すべての空気調和機の運転条件を一括して設定変更することができる。また、各空気調和機を指定して個別に運転条件の設定変更を行いたい場合は、共通信号を無効として通信データを送信することで、通信データに含まれる識別情報が一致した空気調和機のみ運転条件の設定変更が行われる。
【０００７】
しかし、特許文献１の方法では、設定温度の補正を、補正値を送信して行っているので、風量や風向板動作等数値で表せない運転条件については対応できないという問題があった。
また、特許文献１や特許文献２の方法では、すべての空気調和機の運転条件を一括変更できるのであるが、例えば、建物内にはコンピュータサーバーが設置されている部屋や機械室、ボイラー室等といった特殊な空調環境が必要な場所が存在する場合もあり、これらの場所の運転条件も一括変更されることは問題であった。
【０００８】
また、作業者が意図する空気調和機の運転条件を選択的に変更したい場合、例えば設定温度：２５℃以下、風量：小  と設定されている空気調和機を、省エネ運転のために設定温度：２７℃、風量：中  としたいような場合は、一括設定では対応することができず、空気調和機毎に設定変更の操作を行うこととなり、作業者の操作量が増えて操作時間がかかるという問題があった。
【０００９】
一方、作業者が意図する空気調和機の運転条件を選択的に変更する方法としては、空調管理装置において、各空気調和機を現在設定されている運転条件によって検索し、この検索条件に一致した空気調和機に対して一括で運転条件の変更を行うものが提案されている（例えば、特許文献３）。
【００１０】
特許文献３に開示されているのは、作業者が空調管理装置を操作し、様々な運転条件を組み合わせて作成される検索条件によって空気調和機を検索し、検索条件に一致するものを抽出できるというものである。例えば、運転モードが「冷房」、設定温度が２５℃、風量が「小」といった制御パラメータの論理積で検索条件を作成し、この条件によって抽出された空気調和機の設定温度を一括して２７℃に変更することができる。
【００１１】
このように、空調管理装置で運転条件の設定変更を行いたい空気調和機を検索して、意図する運転条件に一括変更ができるので、作業者が各空気調和機の運転条件を１台毎に確認してその変更を行うといった手間が省け、作業者が意図する空気調和機の運転条件の変更を簡易かつ確実な方法で行うことができる。
【００１２】
しかし、この方法では、検索で抽出した各空気調和機に対して送信する通信データ中に、対象となる空気調和機の識別情報を付与する必要があり、データ量が多くなるという問題があった。また、空調管理装置で検索作業を行い、抽出された空気調和機に対してその識別情報と変更する運転条件の設定値を付与してデータ送信を行うため、空調管理装置の制御部における作業量が大きくなって制御部に負担がかかると共に、変更作業に時間を要するという問題があった。
【先行技術文献】
【特許文献】
【００１３】
【特許文献１】特開平９−２５７２９４号公報（第４〜５項、第２図、第３図）
【特許文献２】特開２００８−２８６４３２号公報（第６〜８項、第４図）
【特許文献３】特開２００８−１５１４６５号公報（第９〜１１項、第５図、第６図）
【発明の概要】
【発明が解決しようとする課題】
【００１４】
本発明は以上述べた問題点を解決し、作業者が意図する空気調和機の運転条件の変更を、短時間で簡易にかつ空調管理装置の負荷を軽減して行える空気調和シムテムを提供することを目的とする。
【課題を解決するための手段】
【００１５】
本発明は上述の課題を解決するため、請求項１に関する発明は、複数の空気調和機と、前記空気調和機と通信可能に接続され、前記空気調和機の集中管理を行う空調管理装置とを備えた空気調和システムにおいて、前記空調管理装置は、前記複数の空気調和機が運転条件を変更されるべきものであるか否かを各前記空気調和機で判断するための検索データと、前記運転条件の変更指示である運転条件変更データとを含んだ通信データを前記空気調和機に送信し、前記空気調和機は、前記通信データを入力して自己の運転条件と前記検索データとを比較し、内容が一致した場合、前記運転条件変更データに基づいて前記空気調和機を運転することを特徴としている。
【００１６】
また、請求項２に関する発明は、前記検索データは、前記空気調和機の運転条件である運転モード、設定温度、風量、風向板動作及び前記空気調和機が設置されている部屋の室温の内、少なくとも１つ以上としてなることを特徴としている。
【００１７】
さらには、請求項３に関する発明は、前記空調管理装置は、前記通信データを所定時間毎に前記空気調和機に送信することを特徴としている。
【発明の効果】
【００１８】
請求項１に係わる発明は、各空気調和機は、空調管理装置から送信される通信データを受信し、その中に含まれる検索データを構成する運転条件と現在自己に設定されている運転条件とを比較し、一致した場合には通信データに含まれる運転条件変更データに基づいて運転条件を変更する。これにより、意図する空気調和機の運転条件を選択的に、かつ一括で変更することができ、空調管理装置の負荷も軽減することができる。
【００１９】
また、請求項２に係わる発明は、冷房／暖房等の運転モード、設定温度、風量、風向板動作および空気調和機が設置されている部屋の室内温度、の中から１つ、あるいは複数を組み合わせて検索データを構築する。これにより、意図する空気調和機をより細かな条件で選択し、運転条件の変更を行うことができるので、現実に即した空調運転を行うことができ、省エネ運転指示等に際しよりきめ細やかな空気調和機の制御を行うことができる。
【００２０】
さらには、請求項３に係わる発明は、空調管理装置から通信データを定期的に送信することによって、一度通信データに基づいて運転条件が変更された空気調和機で、使用者によって設定変更がなされた場合でも、元の運転条件に定期的に、かつ自動で戻すことができる。これにより、省エネ運転時等運転条件を継続して一定値にする必要があるような場合に、変更された運転条件が自動的に元に戻されるので、より確実な運転制御を行うことができる。
【図面の簡単な説明】
【００２１】
【図１】本発明の実施例である空気調和システムの構成を示す図である。
【図２】本発明の実施例における空調管理装置及び室内機のブロック図であり、（Ａ）は空調管理装置のブ  ロック図、（Ｂ）は室内機のブロック図である。
【図３】本発明の実施例における室内機及び室外機の配置図である。
【図４】本発明の実施例における管理テーブルであり、（Ａ）は設定変更前の管理テーブル、（Ｂ）は設定  変更後の管理テーブルである。
【図５】本発明による空調管理装置の表示部における運転条件指定画面の説明図である。
【図６】本発明による空調管理装置の表示部における設定変更決定画面の説明図である。
【図７】本発明による空調管理装置から送信される通信データの説明図である。
【図８】本発明による空調管理装置における制御を示すフローチャートである。
【図９】本発明による室内機における制御を示すフローチャートである。
【発明を実施するための形態】
【００２２】
以下、本発明の実施の形態を、添付図面に基づいて詳細に説明する。尚、実施例としては、１０階建てビルに設置された空気調和システムを例として説明することとする。
【実施例】
【００２３】
図１は、空気調和システムの構成説明図である。この空気調和システム１は、複数の室内機２０と、複数の室内機２０が並列に接続されている室外機４０と、リモコン３０と、これらの管理・制御を行う空調管理装置１０とから構成されている。
【００２４】
室内機２０はビルのフロア毎に複数台設置されており、各室内機２０には、伝送線６０を介して室内機２０の操作を行うためのリモコン３０が接続されている。使用者は、リモコン３０を操作することによって風向板の動作や風量、設定温度等を設定することができる。
【００２５】
室外機４０は、ビルのフロア毎に１台設置されており、１台の室外機４０に複数台の室内機２０が並列接続されている。従って、フロア毎に冷房運転や暖房運転、除湿運転等といった運転モードが設定されることとなる。尚、室外機４０は、フロアに設置される室内機２０の台数によっては複数台設置してもよい。
【００２６】
これら複数の室内機２０及び室外機４０は、伝送線５０を介して空調管理装置１０に接続されており、相互に信号の授受が行えるようになっている。
リモコン３０は、伝送線６０を介して接続されている室内機２０に対してのみ、運転開始／停止、運転モードの決定、設定温度や風量、風向板動作の設定等を指示することができる。尚、リモコン３０は、赤外線信号等を送信するワイヤレスリモコンであってもよい。
【００２７】
図２は、空調管理装置及び室内機のブロック図であり、（Ａ）は空調管理装置のブロック図を、（Ｂ）は室内機のブロック図をそれぞれ示している。
空調管理装置１０は、図２（Ａ）に示すように、室内機２０の運転条件等の管理データを管理テーブルとして記憶する記憶部１２と、室内機２０や室外機４０との信号の入出力インターフェイスである通信部１３と、キーボードやマウス等で構成される操作部１４と、液晶パネル等からなる表示部１５と、これらを制御する制御部１１とを備えている。
【００２８】
この空調管理装置１０は、作業者の操作により、操作部１４から空気調和システムに対する指示を入力し、この指示データを表示部１５に表示すると共に、通信部１３を介してこれらの指示を室内機２０や室外機４０に送信する。この指示を受信した室内機２０や室外機４０は、指示内容に従って運転開始／停止、冷房／暖房等の運転モードの決定、設定温度の設定等といった運転条件に関する指示を実行する。尚、指示通りに実行された場合、室内機２０や室外機４０の最新の運転条件は運転条件データとして空調管理装置１０に返送され、空調管理装置１０は、この運転条件データに基づいて管理テーブルを更新する。
【００２９】
室内機２０は、図２（Ｂ）に示すように、リモコン３０から入力された運転条件等現在の設定を記憶する記憶部２２と、空調管理装置１０や室外機４０との信号の入出力インターフェイスである通信部２３と、リモコン３０からの信号を受信するリモコン信号受信部２４と、ＬＥＤ等で構成され電源入／切の状態やフィルタ掃除のタイミングを知らせる等の機能表示を行うための表示部２５と、これらを制御する制御部２１とを備えている。
【００３０】
室内機２０は、使用者によるリモコン３０からの指示、あるいは空調管理装置１０からの指示に従って空調運転を行う。また、室内機２０は、自身が設置されている部屋の室温及び運転モードや設定温度、風量、風向板動作といった運転条件を、定期的に空調管理装置１０に送信する。空調管理装置１０は、前述したように室内機２０から運転条件データを受信すると、記憶部１２の管理テーブルを受信した運転条件データに基づいて定期的に更新する。
【００３１】
図３は、１０階建てのビルに本実施例の空気調和システムを設置した場合の配置図である。各フロアには、それぞれ複数台の室内機２０と室外機４０とが設置されている。１Ｆ及び２Ｆには番号００１〜０１０の室内機２０が１０台と番号０１１の室外機４０が１台、１０Ｆには番号００１〜００８の室内機２０が８台と番号００９の室外機が１台設置されており、室内機２０は、フロアのレイアウトに応じて配置されている。尚、記載は省略するが、３Ｆ〜９Ｆについても同様に複数の室内機２０及び室外機４０が設置されている。
【００３２】
以上説明した構成において、作業者は空調管理装置１０の操作部１４を操作して、意図する室内機２０を選択するための検索データを、運転モードや設定温度等の運転条件を入力することによって作成する。また、作業者は、選択された室内機２０に新たな運転条件を設定するための運転条件変更データを、操作部１４を操作して運転条件を入力することにより作成する。そして、これらを含んだ通信データを各室内機２０へ送信する。
【００３３】
通信データを受信した各室内機２０は、通信データに含まれる検索データを参照し、そこに含まれる運転条件が現在自己に設定されている運転条件と一致するか否かを判断する。一致しなければ受信した通信データを破棄し、一致すれば通信データに含まれる運転条件変更データに基づいて運転条件を変更する。これにより、作業者は意図する室内機の運転条件を選択的にかつ一括して設定変更することができる。
【００３４】
次に、図２乃至図７を使用して、本実施例における空気調和システム１の具体的な動作について説明する。図４は空調管理装置１０の記憶部１２に記憶されている管理テーブルであり、（Ａ）は運転条件変更前、（Ｂ）は運転条件変更後をそれぞれ示している。図５は空調管理装置１０の表示部１５における、運転条件を指定する画面の説明図である。図６は同じく空調管理装置１０の表示部１５における運転条件の設定変更を決定する画面の説明図である。また、図７は、空調管理装置１０から送信される通信データの説明図である。
【００３５】
空調管理装置１０の記憶部１２には、図４に示すような管理テーブルが記憶されている。この管理テーブルは、室内機２０や室外機４０の運転条件をリアルタイムで把握するためのものであり、作業者が表示部１５に表示して確認することができるものである。この管理テーブルは、室内機２０や室外機４０から定期的に受信する運転条件やリモコン３０の操作によって運転条件が変更された場合に、あるいは、空調管理装置１０を操作することによって運転条件が変更された場合に、随時更新される。
【００３６】
この管理テーブルには、空気調和システム１の設置時に規定される項目と、通常の運用において更新される項目とがある。設置時に規定される項目としては、フロア、室内機２０／室外機４０の番号及び識別情報、種別、グループがある。番号は室内機２０や室外機４０を物理的に区別する番号であり、識別情報は空気調和システム１内の通信において通信相手を識別するために用いられる。種別は室内機２０と室外機４０とを特定するためのものであり、グループは、例えば１フロアに設置され１台の室外機４０とこれに並列接続されている複数の室内機２０とを１グループとし、グループ毎に制御した方が効率のよい場合等に使用される。
【００３７】
通常の運用において更新される項目としては、運転モード、電源、設定温度、室温、風量、風向板動作がある。運転モードは冷房／暖房等の区別、電源は対象室内機２０の電源入／切状態、設定温度は室内機２０毎に設定されている目標となる室内温度、室温は室内機２０が設置されている部屋の現在の温度、風量は現在運転中の室内機２０による送風の強弱、風向板動作は室内機２０に備えられた上下／左右風向板の動作／停止状態、をそれぞれ示している。これらの項目は、前述したように室内機２０や室外機４０から定期的に受信する運転状態やリモコン３０の操作によって運転条件が変更された場合に、あるいは、空調管理装置１０を操作することによって運転条件が変更された場合に、随時更新される。
【００３８】
次に作業者が空調管理装置１０を操作して意図する室内機２０の運転条件を変更する手順について説明する。空調管理装置１０の表示部１５からは、タイマー運転の設定や運転条件の変更等を選択することができるようになっている。作業者は、空調管理装置１０の操作部１４を操作して運転条件の変更を選択すると、表示部１５には運転条件変更画面が表示され、一括設定やグループ別変更、識別情報による室内機２０を選択しての変更、運転条件指定による変更、といった変更方法が選択できるようになっている。
【００３９】
作業者が操作部１４を操作して運転条件指定による変更を選択すると、表示部１５には図５に示す運転条件指定画面が表示される。運転条件指定画面は演算子選択エリア１５ａと、運転条件選択エリア１５ｂと、設定値入力エリア１５ｃと、次画面に移動するための「次へ」ボタン１５ｄと、前画面へ戻るための「戻る」ボタン１５ｅとで構成されている。
【００４０】
演算子選択エリア１５ａは、指定した複数の運転条件を論理演算するための論理積（ＡＮＤ）や論理和（ＯＲ）あるいは論理差（ＮＯＴ）を選択するエリアであり、プルダウンメニューにより選択できるようになっている。この演算子選択のためのプルダウンメニューは、次に説明する運転条件選択エリア１５ｂで選択できる５つの運転条件すべてを論理演算できるよう４個設けられている。
【００４１】
運転条件選択エリア１５ｂは、室内機２０を特定するための運転条件を選択するエリアであり、プルダウンメニューにより運転モード、設定温度、室温、風量、風向板動作、の５つの運転条件の中から選択することができる。この運転条件選択のためのプルダウンメニューは、上記５つの運転条件をすべて個別に選択できるよう５個設けられている。尚、プルダウンメニューには、「指定なし」という項目があり、これを選択することで空欄とし運転条件の選択を行わないようにすることができる。
【００４２】
設定値入力エリア１５ｃは、運転条件選択エリア１５ｂのプルダウンメニューに対応した位置に配置されており、運転条件選択エリア１５ｂで選択した運転条件の設定値を入力するエリアである。作業者は、空調管理装置１０の操作部１４により設定値の入力を行い、運転条件が「運転モード」の場合は冷房／暖房／除湿／送風の内いずれかを、「設定温度」の場合は室内機２０の設定温度範囲、例えば１６℃〜３０℃の範囲内の温度を、「室温」の場合は現在の室温を、「風量」の場合は室内機２０の設定範囲、例えば小／中／大を、「風向板動作」の場合は上下／左右／停止、をそれぞれ入力する。また、入力する設定値を複数入力し、間にスペースを設けることによって設定値の論理和が取れるようになっている。例えば、運転条件が「設定温度」に対応する箇所に「２５」と「２６」とをスペースを空けて入力すれば、設定温度が２５℃と２６℃である室内機２０が対象となる。
【００４３】
以上説明した運転条件指定画面において、作業者は図５に示すように運転条件を選択し、それぞれの設定値を入力する。ここでは、運転モード：冷房、設定温度：２５℃と２６℃、室温：２４℃と２５℃と２６℃、風量：小、風向板動作：停止  としすべての論理積（ＡＮＤ）を取ることとする。これは、設定温度を低くし実際の室温も低くなっている上に、風量を落とし風向板も停止させている室内機２０が設置されている部屋では、過剰な空調制御となっていると判断し、省エネの観点から設定を変更しよう、という背景で設定したものである。
【００４４】
作業者が以上のように運転条件や設定値を選択・入力して「次へ」ボタン１５ｄを押すと、表示部１５には図６に示す設定変更決定画面が表示される。設定変更決定画面は、対象室内機指定条件表示エリア１５ｆと、変更運転条件設定エリア１５ｇと、新規設定値入力エリア１５ｈと、設定した条件で問題ない場合に操作する「ＯＫ」ボタン１５ｉと、前画面へ戻るための「戻る」ボタン１５ｅとで構成されている。
【００４５】
対象室内機指定条件表示エリア１５ｆは、運転条件指定画面（図５）で指定した対象室内機２０を選択するための論理演算式が表示され、作業者が運転条件指定画面で設定した内容が確認できるようになっている。変更運転条件選択エリア１５ｇは、選択した室内機２０で変更したい運転条件を選択するエリアであり、プルダウンメニューにより運転モード、設定温度、風量、風向板動作、の４つの運転条件の中から選択することができる。
【００４６】
新規設定値入力エリア１５ｈは、変更運転条件選択エリア１５ｇのプルダウンメニューに対応した位置に配置されており、変更運転条件選択エリア１５ｇで選択した運転条件の設定値を入力するエリアである。作業者は、空調管理装置１０の操作部１４により設定値の入力を行い、運転条件が「運転モード」の場合は冷房／暖房／除湿／送風の内いずれかを、「設定温度」の場合は室内機２０の設定温度範囲、例えば１６℃〜３０℃の範囲内の温度を、「風量」の場合は室内機２０の設定範囲、例えば小／中／大を、「風向板動作」の場合は上下／左右／停止、をそれぞれ入力する。
【００４７】
以上説明した設定変更決定画面において、作業者は図６に示すように変更する運転条件を選択し、それぞれの設定値を入力する。ここでは、設定温度：２８℃、風量：大、風向板動作：左右  とする。これは、前述した論理計算式に対応して選択された室内機２０に対し、設定温度を上げて省エネ運転を目指すものであり、設定温度を上げる代わりに風量を小から大に上げ、風向板を左右に動作させることによって、快適性を確保しようとする狙いがあってのものである。
【００４８】
作業者が以上のように変更する運転条件や新規設定値を選択・入力して「ＯＫ」ボタン１５ｉを押すと、空調管理装置１０の制御部１１は、上述した室内機２０を選択するための論理演算式を検索データに、変更する新規運転条件やその設定値は運転条件変更データに、それぞれ変換し、これらを図７に示すような通信データ８０に組み込んで通信部１３を介して各室内機２０へ送信する。室内機２０では、通信データ８０は通信部２３を介して制御部２１に入力される。この通信デ−タ８０は、コマンド又はデータであることを示すＣ／Ｄ部８０ａと、検索データである識別情報部８０ｂ及び選択用運転条件／設定値部８０ｃと、運転条件変更データである新規設定用運転条件／設定値部８０ｄと、図示しないパリティ部等から構成されている。
【００４９】
識別情報部８０ｂは、室内機２０の制御部２１が、自己が設定変更を受ける対象機であるか否かを判断するために設けられている。この識別情報部８０ｂに、図４に示す識別情報：１Ｆ００１〜ＡＦ００９の内少なくとも１つ以上が含まれている場合には、個別に室内機２０を指定して設定変更を行うことを示しており、この部分を読み込んだ制御部２１は、自己の持つ識別情報と一致しなければ通信データ８０を破棄し、一致すれば通信データ８０に指示されている設定変更を行う。
【００５０】
識別情報部８０ｂに全ての室内機２０を一括設定する旨の情報（例えば、０００００）が含まれている場合には、識別情報に関係なく全ての室内機２０が通信データ８０に指示されている設定変更を行う。
識別情報部８０ｂに条件付一括設定する旨の情報（例えば、９９９９９）が含まれている場合には、制御部２１は次の選択用運転条件／設定値部８０ｃを参照する。
【００５１】
選択用運転条件／設定値部８０ｃは、運転条件指定画面（図５）で設定した室内機２０の運転条件とその設定値から構成される論理演算式を変換したものであり、室内機２０の制御部２１はこの部分を参照して自己の現在の運転条件やその設定値と一致するか否かを判断する。一致していなければ制御部２１はこの通信データ８０を破棄する。一致していれば、制御部２１は設定変更決定画面（図６）で設定した新規運転条件やその設定値をデータ化した新規設定用運転条件／設定値部を読み込み、これに対応した運転条件の変更を行う。このようにして、選択用運転条件／設定値部８０ｃに含まれる条件に該当する全ての室内機２０において、一括して運転条件の変更が行われる。
【００５２】
尚、以上説明した通信データ８０では、識別情報部８０ｂと選択用運転条件／設定値部８０ｃとから検索データが構成される場合について説明したが、識別情報部８０ｂと選択用運転条件／設定値部８０ｃとを分割せず１ブロックとして検索データを構成してもよい。
【００５３】
運転条件を変更すれば、制御部２１は変更が完了したことを示す変更データを、通信部２３を介して空調管理装置１０に送信する。通信部１３を介して変更データを受信した空調管理装置１０の制御部１１は、記憶部１２に記憶されている管理テーブルを、図４（Ｂ）に示すように変更データに基づいて更新する。尚、以上説明した例では、運転条件指定画面にて指定した条件に該当する室内機２０は、図４（Ａ）で破線で囲んだ室内機２０、すなわち、識別番号：２Ｆ００１、２Ｆ００３、２Ｆ００４、２Ｆ００８、及び、ＡＦ００４、ＡＦ００６、であり、これらが設定変更後の管理テーブルである図４（Ｂ）では、それぞれ設定温度が２８℃、風量が大、風向板動作が左右（破線で囲んだ部分）、と更新されている。
【００５４】
以上説明した実施例では、室内機２０を選択するために複数の運転条件を選んだ場合について説明したが、運転条件は１つ指定するだけでもよい。また、設定値入力エリア１５ｃに、例えば「２６℃以下」と入力することによって、設定温度や室温が２６℃以下となっている室内機２０すべてを設定変更の対象となる室内機２０として指定するようにしてもよい。
【００５５】
また、空調管理装置１０からは定期的に通信データ８０を各室内機２０に対して送信するようにしてもよい。このようにすれば、一度空調管理装置１０から通信データ８０を送信して作業者が意図する室内機２０の運転条件を変更した後、使用者がリモコン３０を操作して当該室内機２０の運転条件を変更しても、再び通信データ８０が当該室内機２０に送信されることによって、作業者が意図する運転条件変更を行うことができるため、例えば省エネ運転を考慮して設定した運転条件が継続的に守られ、作業者の意図通りの空気調和システム１の運転制御を行うことができる。
【００５６】
次に、図２に示す空調管理装置１０の制御部１１及び室内機２０の制御部２１での処理を表すフローチャートを用いて、空気調和システム１において室内機２０の運転条件を変更する場合の流れについて説明する。図８のフローチャートは、空調管理装置１０の制御部１１での運転条件変更指示から通信データ８０送信までの処理を示すものである。また、図９のフローチャートは、室内機２０の制御部２１での通信データ８０の受信から運転条件の変更までの処理を示すものである。尚、図８及び図９において、ＳＴはステップを、これに続く数字はステップ番号をそれぞれ示している。
【００５７】
まず、空調管理装置１０の制御部１１における処理について、図８を用いて説明する。制御部１１は空調管理装置１０を操作する作業者によって、各室内機２０の運転条件の変更指示があるか否かを判断する（ＳＴ１）。変更指示がなければ（ＳＴ１−Ｎｏ）、制御部１１は各室内機２０のタイマー運転管理や、各室内機２０や室外機４０からの運転条件の入力管理等といった通常の空気調和システム１の管理を継続して行い（ＳＴ９）、ＳＴ１にジャンプする。
【００５８】
変更指示であれば（ＳＴ１−Ｙｅｓ）、制御部１１はその変更指示が室内機すべてを一括して変更するものであるか否かを判断する（ＳＴ２）。一括変更でなければ（ＳＴ２−Ｎｏ）、制御部１１は作業者からの指示が、図４に示すようなグループ別の変更指示あるいは室内機２０の識別情報別による変更指示であるか否かを判断する（ＳＴ３）。
【００５９】
グループ別の変更指示あるいは識別情報別による変更指示でなければ（ＳＴ３−Ｎｏ）、制御部１１は表示部１５に運転条件指定画面を表示し、作業者が設定する室内機２０を指定するための条件を入力する（ＳＴ４）。次に、制御部１１は表示部１５に設定変更決定画面を表示し、作業者が設定する変更運転条件と新規設定値を入力する（ＳＴ５）。
【００６０】
次に、制御部１１はＳＴ３やＳＴ４で入力された内容をそれぞれ検索データと運転条件変更データに変換し、これらを含んだ通信データ８０を作成して各室内機２０に送信する（ＳＴ６）。そして、検索条件に一致した室内機２０から、運転条件の変更が完了したことを示す変更データを受信すると（ＳＴ７）、制御部１１は記憶部１２に記憶されている管理テーブルを更新し（ＳＴ８）、ＳＴ１にジャンプする。
【００６１】
尚、ＳＴ２で全室内機２０の一括変更指示であれば（ＳＴ２−Ｙｅｓ）、ＳＴ５にジャンプする。また、ＳＴ３でグループ別の変更指示あるいは識別情報別による変更指示であれば（ＳＴ３−Ｙｅｓ）、制御部１１は表示部１５にグループ情報や識別情報が指定できる画面を表示し、作業者が設定するグループ情報や識別情報を入力して（ＳＴ１０）、ＳＴ５にジャンプする。
【００６２】
次に、各室内機２０の制御部２１における処理について、図９を用いて説明する。制御部２１は通信部２３を介して入力したデータが、運転条件変更を示す通信データ８０であるか否かを判断する（ＳＴ２１）。運転条件変更を示す通信データ８０でなければ（ＳＴ２１−Ｎｏ）、制御部２１は風量や風向板動作の制御等といった通常の空調運転制御を行い（ＳＴ２７）、ＳＴ２１にジャンプする。
【００６３】
入力したデータが運転条件変更を示す通信データ８０であれば（ＳＴ２１−Ｙｅｓ）、制御部２１は通信データ８０の識別情報部８０ｂを参照し条件付一括設定であることを示す識別情報であるか否かを判断する（ＳＴ２２）。条件付一括設定であることを示す識別情報であれば（ＳＴ２２−Ｙｅｓ）、制御部２１は通信データ８０の選択用運転条件／設定値部８０ｃを参照し（ＳＴ２３）、これに含まれる運転条件が現在の自己の運転条件と一致するか否かを判断する（ＳＴ２４）。自己の運転条件と一致しなければ（ＳＴ２４−Ｎｏ）、制御部２１は通信データ８０を破棄してＳＴ２１へジャンプする。
【００６４】
自己の運転条件と一致すれば（ＳＴ２４−Ｙｅｓ）、制御部２１は通信データ８０の新規設定用運転条件／設定値部８０ｄを参照し、これに対応した自己の運転条件の設定値を変更する（ＳＴ２５）。そして、制御部２１は運転条件の変更が完了したことを空調管理装置１０に通知し（ＳＴ２６）、ＳＴ２１にジャンプする。
【００６５】
尚、ＳＴ２２で通信データ８０の識別情報部８０ｂが条件付一括設定であることを示す識別情報でなければ（ＳＴ２２−Ｎｏ）、制御部２１は通信データ８０の識別情報部８０ｂが一括設定であることを示す識別情報であるか否かを判断する（ＳＴ２８）。一括設定であることを示す識別情報であれば（ＳＴ２８−Ｙｅｓ）、ＳＴ２５にジャンプする。
【００６６】
一括設定であることを示す識別情報でなければ（ＳＴ２８−Ｎｏ）、制御部２１は識別情報部８０ｂに含まれるグループ情報あるいは室内機２０の識別情報が自己の識別情報と一致するか否かを判断する（ＳＴ２９）。自己の識別情報と一致しなければ（ＳＴ２９−Ｎｏ）、制御部２１は通信データ８０を破棄してＳＴ２１へジャンプする。自己の識別情報と一致すれば（ＳＴ２９−Ｙｅｓ）、ＳＴ２５にジャンプする。
【００６７】
以上説明した通り、本発明によれば、各空気調和機は、空調管理装置から送信される通信データを受信し、その中に含まれる検索データを構成する運転条件と現在自己に設定されている運転条件とを比較し、一致した場合には通信データに含まれる運転条件変更データに基づいて運転条件を変更する。これにより、意図する空気調和機の運転条件を選択的に、かつ一括で変更することができ、空調管理装置の負荷も軽減することができる。
【００６８】
また、冷房／暖房等の運転モード、設定温度、風量、風向板動作および空気調和機が設置されている部屋の室内温度、の中から１つ、あるいは複数を組み合わせて検索データを構築する。これにより、意図する空気調和機をより細かな条件で選択し、運転条件の変更を行うことができるので、現実に即した空調運転を行うことができ、省エネ運転指示等に際しよりきめ細やかな空気調和機の制御を行うことができる。
【００６９】
さらには、空調管理装置から通信データを定期的に送信することによって、一度通信データに基づいて運転条件が変更された空気調和機で、使用者によって設定変更がなされた場合でも、元の運転条件に定期的に、かつ自動で戻すことができる。これにより、省エネ運転時等運転条件を継続して一定値にする必要があるような場合に、変更された運転条件が自動的に元に戻されるので、より確実な運転制御を行うことができる。
【符号の説明】
【００７０】
１  空気調和システム
１０  空調管理装置
１１  制御部
１２  記憶部
１３  通信部
１４  操作部
１５  表示部
１５ａ  演算子選択エリア
１５ｂ  運転条件選択エリア
１５ｃ  設定値入力エリア
１５ｆ  対象室内機指定条件表示エリア
１５ｇ  変更運転条件選択エリア
１５ｈ  新規設定値入力エリア
２０  室内機
２１  制御部
２２  記憶部
２３  通信部
３０  リモコン
４０  室外機
７０  ビル
８０  通信データ
８０ｂ  識別情報部
８０ｃ  選択用運転条件／設定値部
８０ｄ  新規設定用運転条件／設定値部
【図１】
2010190538.tif 000003
【図２】
2010190538.tif 000004
【図３】
2010190538.tif 000005
【図４】
2010190538.tif 000006
【図５】
2010190538.tif 000007
【図６】
2010190538.tif 000008
【図７】
2010190538.tif 000009
【図８】
2010190538.tif 000010
【図９】
2010190538.tif 000011